(57)【特許請求の範囲】
【請求項１】
繰出容器本体と、繰出容器本体に着脱自在に装着される蓋体とからなる繰出容器において、
繰出容器本体は、有底筒状の外筒と、外筒内に装着される回転案内筒と、外筒内に挿入され、回転案内筒に回転自在に装着される回転操作筒と、棒状の内容物を保持し、回転操作筒内に回転不能かつ上下動可能に収納されるとともに、回転案内筒内周と螺合する中皿体と、回転案内筒の外周に装着され、回転操作筒の回転を規制する回転規制部材とを備え、
外筒は、上端部外周に蓋体下部が装着される蓋装着部を備え、
回転案内筒は、内周にねじ突条が螺設され、
回転操作筒は、手指等で把持して操作する操作筒と、装着筒とを備え、
装着筒の下端には、下向きラチェット歯が配設され、
中皿体は、作動筒部を備え、
作動筒部の外周には、回転案内筒のねじ突条と螺合するねじ突部が螺設され、
回転規制部材は、内周が回転案内筒の外周に嵌合する嵌合筒と、嵌合筒の上端に上向きラチェット歯を有する高さ方向に変形可能なラチェット部が配設され、
内容物の使用時に、蓋体を外筒の蓋装着部から外した後、外筒を把持し、回転操作筒を回転させるか、または、回転操作筒を把持し、外筒を回転させることにより、内容物を回転操作筒から繰り出し、
内容物の繰り出し方向では、ラチェット部の変形により下向きラチェット歯と上向きラチェット歯の噛み合いが外され、回転を可能とし、繰り下がり方向では、下向きラチェット歯と上向きラチェット歯が噛み合い、回転を阻止することを特徴とする繰出容器。
【請求項２】
回転操作筒の装着筒の内周上端には、円周の対角から内方に向かって形成され、内方に直線部を形成する規制板が配設され、規制板以外の装着筒内周面と直線部により上面から見てトラック状楕円形の開口が形成され、
中皿体の作動筒部は、円周の対角に形成される円弧部と、円弧部の端部を結ぶ直線部とから断面形状がトラック状楕円形に形成され、それぞれの円弧部の外周に、ねじ突部が螺設され、回転操作筒の開口に挿入されることを特徴とする請求項１記載の繰出容器。
【請求項３】
回転案内筒の内周の上端から所定の高さ範囲にねじ突条が螺設され、
中皿体の作動筒部外周のねじ突部が、下端から一周分程の高さの下端ねじ突部と、下端ねじ突部の上端から回転案内筒のねじ突条の高さ以上の高さ離れた位置から上端付近までのねじ突部とで螺設され、下端ねじ突部とねじ突部との間は、空転空間部が形成されていることを特徴とする請求項１または２記載の繰出容器。
【請求項４】
回転規制部材のラチェット部は、外側から見て左右に離れて嵌合筒の上端面より立設される一対の縦壁と、縦壁の上端部を繋ぐ横壁と、横壁の上面に立設される上向きラチェット歯とからなっており、縦壁および横壁は変形可能な厚さで形成されていることを特徴とする請求項１〜３のいずれかに記載の繰出容器。
【請求項５】
回転規制部材のラチェット部は、外側から見て中心より右側に嵌合筒の上端面より立設される縦壁と、縦壁の上端部から中心付近に延びる横壁と、横壁の左端部より湾曲しながら嵌合筒の上端面の外側から見て中心より左側に連設される湾曲壁と、横壁の左側上面に立設される上向きラチェット歯とからなっており、縦壁、横壁および湾曲壁は変形可能な厚さで形成されていることを特徴とする請求項１〜３のいずれかに記載の繰出容器。
【請求項６】
回転規制部材のラチェット部は、外側から見て中心より左側に嵌合筒の上端面より立設される縦壁と、縦壁の上端部から右方向に延びる横壁と、横壁の上面に立設される上向きラチェット歯とからなっており、縦壁および横壁は変形可能な厚さで形成されていることを特徴とする請求項１〜３のいずれかに記載の繰出容器。
【発明の詳細な説明】
【技術分野】
【０００１】
本発明は、繰出容器に関し、とくに、繰り下がりを防止した繰出容器に関するものである。
【背景技術】
【０００２】
棒状化粧料などの棒状の内容物を収納する筒状の容器で、容器の一部を把持し、他の一部を回転させることにより、容器の口部より内容物を繰り出し（前進させ）て使用する繰出容器において、回転方向を規制し、内容物の使用中に常に繰り下がり（後進）を防止する繰出容器は知られている（例えば、特許文献１参照）。
【先行技術文献】
【特許文献】
【０００３】
【特許文献１】特開２０１５−２４０８１号公報
【発明の概要】
【発明が解決しようとする課題】
【０００４】
しかしながら、上記特許文献１記載の繰出容器では、回転方向を規制するのにラチェット機構を採用しているが、該ラチェット機構が、内部筒状部２ｂの外周面には径方向外側に突出する一方の突部５ａが設けられ、後端筒部４ｚの内周面には径方向内側に突出し且つ一方の突部５ａに回転方向に係合する他方の突部５ｂが設けられ、他方の突部５ｂはその周囲の切欠きによって径方向に弾性変形するラチェット機構を配設している。
ラチェット機構を発揮するためには、突部５ａに係合する後端筒部４ｚに区画された突部５ｂ付近が、回転時に、内外方向に弾性変形しなくてはならず、この弾性変形をさせるためにある程度の内外方向に空間を確保しなくてはならないため、容器全体の径をある程度大きく取らなくてはならず、容器全体の径を細くすることができないという問題があった。
【０００５】
本発明は、上記問題を解決することを課題とし、回転方向を規制し、繰り下がりを防止するとともに、容器全体の径を細くすることができる繰出容器を提供することを目的とする。
【課題を解決するための手段】
【０００６】
本発明は、上記の課題を解決するため、繰出容器として、繰出容器本体と、繰出容器本体に着脱自在に装着される蓋体とからなる繰出容器において、繰出容器本体は、有底筒状の外筒と、外筒内に装着される回転案内筒と、外筒内に挿入され、回転案内筒に回転自在に装着される回転操作筒と、棒状の内容物を保持し、回転操作筒内に回転不能かつ上下動可能に収納されるとともに、回転案内筒内周と螺合する中皿体と、回転案内筒の外周に装着され、回転操作筒の回転を規制する回転規制部材とを備え、外筒は、上端部外周に蓋体下部が装着される蓋装着部を備え、回転案内筒は、内周にねじ突条が螺設され、回転操作筒は、手指等で把持して操作する操作筒と、装着筒とを備え、装着筒の下端には、下向きラチェット歯が配設され、中皿体は、作動筒部を備え、作動筒部の外周には、回転案内筒のねじ突条と螺合するねじ突部が螺設され、回転規制部材は、内周が回転案内筒の外周に嵌合する嵌合筒と、嵌合筒の上端に上向きラチェット歯を有する高さ方向に変形可能なラチェット部が配設され、内容物の使用時に、蓋体を外筒の蓋装着部から外した後、外筒を把持し、回転操作筒を回転させるか、または、回転操作筒を把持し、外筒を回転させることにより、内容物を回転操作筒から繰り出し、内容物の繰り出し方向では、ラチェット部の変形により下向きラチェット歯と上向きラチェット歯の噛み合いが外され、回転を可能とし、繰り下がり方向では、下向きラチェット歯と上向きラチェット歯が噛み合い、回転を阻止することを特徴とする構成を採用する。
【０００７】
回転操作筒と中皿体の実施例として、回転操作筒の装着筒の内周上端には、円周の対角から内方に向かって形成され、内方に直線部を形成する規制板が配設され、規制板以外の装着筒内周面と直線部により上面から見てトラック状楕円形の開口が形成され、中皿体の作動筒部は、円周の対角に形成される円弧部と、円弧部の端部を結ぶ直線部とから断面形状がトラック状楕円形に形成され、それぞれの円弧部の外周に、ねじ突部が螺設され、回転操作筒の開口に挿入されることを特徴とする構成、さらに、回転案内筒の内周の上端から所定の高さ範囲にねじ突条が螺設され、中皿体の作動筒部外周のねじ突部が、下端から一周分程の高さの下端ねじ突部と、下端ねじ突部の上端から回転案内筒のねじ突条の高さ以上の高さ離れた位置から上端付近までのねじ突部とで螺設され、下端ねじ突部とねじ突部との間は、空転空間部が形成されていることを特徴とする構成を採用する。
【０００８】
回転規制部材のラチェット部の実施例として、回転規制部材のラチェット部は、外側から見て左右に離れて嵌合筒の上端面より立設される一対の縦壁と、縦壁の上端部を繋ぐ横壁と、横壁の上面に立設される上向きラチェット歯とからなっており、縦壁および横壁は変形可能な厚さで形成されていることを特徴とする構成、または、回転規制部材のラチェット部は、外側から見て中心より右側に嵌合筒の上端面より立設される縦壁と、縦壁の上端部から中心付近に延びる横壁と、横壁の左端部より湾曲しながら嵌合筒の上端面の外側から見て中心より左側に連設される湾曲壁と、横壁の左側上面に立設される上向きラチェット歯とからなっており、縦壁、横壁および湾曲壁は変形可能な厚さで形成されていることを特徴とする構成、または、回転規制部材のラチェット部は、外側から見て中心より左側に嵌合筒の上端面より立設される縦壁と、縦壁の上端部から右方向に延びる横壁と、横壁の上面に立設される上向きラチェット歯とからなっており、縦壁および横壁は変形可能な厚さで形成されていることを特徴とする構成を採用する。
【発明の効果】
【０００９】
本発明の繰出容器は、繰出容器本体と、繰出容器本体に着脱自在に装着される蓋体とからなる繰出容器において、繰出容器本体は、有底筒状の外筒と、外筒内に装着される回転案内筒と、外筒内に挿入され、回転案内筒に回転自在に装着される回転操作筒と、棒状の内容物を保持し、回転操作筒内に回転不能かつ上下動可能に収納されるとともに、回転案内筒内周と螺合する中皿体と、回転案内筒の外周に装着され、回転操作筒の回転を規制する回転規制部材とを備えることにより、回転方向を規制し、繰り下がりを防止するラチェット機構が、回転操作筒の下端に設けた下向きラチェット歯と、回転案内筒の外周に装着する回転規制部材に設けた上向きのラチェット部との係合による、容器の高さ方向に弾性変形する機構であるため、容器全体の径を細くすることができ、よりスマートな容器にすることができるという効果を奏する。
【図面の簡単な説明】
【００１０】
【図１】本発明の繰出容器の断面側面図である。
【図２】繰出容器本体の断面側面図である。
【図３】（ａ）は図２のＸ−Ｘ線切断上面図、（ｂ）はＹ−Ｙ線切断上面図である。
【図４】外筒の半断面正面図である。
【図５】回転案内筒の半断面正面図である。
【図６】回転操作筒の説明図で、（ａ）は半断面正面図、（ｂ）は下面図、（ｃ）は半断面側面図である。
【図７】中皿体の説明図で、（ａ）は半断面正面図、（ｂ）は下面図、（ｃ）は半断面側面図である。
【図８】回転規制部材の説明図で（ａ）は上面図、（ｂ）は半断面正面図、（ｃ）は半断面側面図である。
【図９】回転操作筒と回転規制部材とのラチェット機構を説明する要部拡大図で、（ａ）は互いのラチェット歯の垂直面当接時、（ｂ）は互いのラチェット歯の傾斜面当接時である。
【図１０】繰出容器本体の繰り出し時の断面側面図である。
【図１１】本願発明の回転規制部材の変形実施例１の説明図で、（ａ）は（ｂ）の上面図、（ｂ）は側面図である。
【図１２】本願発明の回転規制部材の変形実施例１と回転操作筒とのラチェット機構を説明する要部拡大図で、（ａ）は互いのラチェット歯の垂直面当接時、（ｂ）は互いのラチェット歯の傾斜面当接時である。
【図１３】本願発明の回転規制部材の変形実施例２の説明図で、（ａ）は（ｂ）の上面図、（ｂ）は側面図である。
【図１４】本願発明の回転規制部材の変形実施例２と回転操作筒とのラチェット機構を説明する要部拡大図で、（ａ）は互いのラチェット歯の垂直面当接時、（ｂ）は互いのラチェット歯の傾斜面当接時である。
【発明を実施するための形態】
【００１１】
次に、本発明の繰出容器について、図面を参照して説明する。
図１において、Ａは繰出容器本体、Ｂは繰出容器本体Ａに着脱自在に装着される蓋体である。
【００１２】
繰出容器本体Ａは、図２、３に示すように、有底筒状の外筒Ａ１と、外筒Ａ１内下部に装着される回転案内筒Ａ２と、外筒Ａ１内上部に挿入され、回転案内筒Ａ２に回転自在に装着される回転操作筒Ａ３と、棒状化粧料を保持し、回転操作筒Ａ３内に回転不能かつ上下動可能に収納されるとともに、回転案内筒Ａ２内周と螺合する中皿体Ａ４と、回転案内筒Ａ２の外周に装着され、回転操作筒Ａ３の回転を規制する回転規制部材Ａ５とを備えている。
【００１３】
外筒Ａ１は、図２、４に示すように、底壁１と底壁１外縁に立設される外周壁２とからなり、外周壁２の上端部外周は縮径され、外周に蓋体Ｂ下部が装着される蓋装着部３が形成されている。
【００１４】
外筒Ａ１の内周には、下端部に、回転案内筒Ａ２を回転不能に装着させる内向きローレット部４が周設され、中央部付近に、回転案内筒Ａ２を装着する装着凹部５が配設されている。
【００１５】
回転案内筒Ａ２は、図２、５に示すように、内周の上端部に、上端から高さａの範囲で中皿体Ａ４と螺合する雌ねじ突条１０が螺設されている。
【００１６】
回転案内筒Ａ２の外周には、上部に回転操作筒Ａ３を回転自在に装着させる係合突部１１が突設され、中央部付近に回転規制部材Ａ５を装着させる装着段部１２が形成され、装着段部１２の下部に外筒Ａ１の装着凹部５に嵌合する装着突部１３が突設され、下端部に外筒Ａ１の内向きローレット部４に嵌合する下部ローレット部１４が周設されている。
【００１７】
装着段部１２の外周には、回転規制部材Ａ５を回転不能に嵌合させる上部ローレット部１５が周設されている。
【００１８】
回転操作筒Ａ３は、図２、３、６に示すように、手指等で把持して操作する操作筒２０と、操作筒２０の下端に垂設され、回転案内筒Ａ２の外周上部に回転自在に装着される装着筒２１を備えており、装着筒２１の下端には、回転規制部材Ａ５と係合して回転を規制される下向きラチェット歯２２が複数（図では、円周に３６°間隔で１０カ所）配設されている。
【００１９】
装着筒２１の内周上端には、円周の対角から内方に向かって形成され、内方に直線部２３ａを形成する一対の規制板２３が配設されており、規制板２３以外の装着筒２１内周面と直線部２３ａにより上面から見てトラック状楕円形の開口２４が形成されている。
【００２０】
装着筒２１の内周下部には、回転案内筒Ａ２の係合突部１１と回転自在に嵌合する係合凹部２５が凹設されている。
【００２１】
それぞれの下向きラチェット歯２２は、外側から見て左側に装着筒２１下端から端部まで右下に傾斜する傾斜面２２ａ、右側に垂直面２２ｂが形成されている。
【００２２】
中皿体Ａ４は、図２、３、７に示すように、回転操作筒Ａ３の操作筒２０内で上下する外周壁３０と、外周壁３０の下端に連設される底壁３１と、底壁３１の下面に垂設され、回転案内筒Ａ２内方に挿入されるとともに雌ねじ突条１０と螺合し、中皿体Ａ４を回転案内筒Ａ２に対して上下させる作動筒部３２とからなっている。
外周壁３０内周と底壁３１上面により棒状化粧料の下部が装着され保持されるようになっている。
【００２３】
作動筒部３２は、円周の対角に形成される一対の円弧部３３と、それぞれの円弧部３３の端部結ぶ直線部３４とからなり、断面形状がトラック状楕円形に形成されており、それぞれの円弧部３３の外周には、回転案内筒Ａ２の雌ねじ突条１０と螺合する、下端から一周分程の高さの下端雄ねじ突部３５と、下端雄ねじ突部３５の上端から雌ねじ突条１０の高さａ以上の高さｂ離れた位置から上端付近までの雄ねじ突部３６とが螺設されている。
また、円弧部３３の外周の下端雄ねじ突部３５と雄ねじ突部３６との間には、高さｂの空転空間部３７が形成されている。
【００２４】
作動筒部３２または回転操作筒Ａ３の装着筒２１の開口２４は、作動筒部３２の雄ねじ突部３６と下端雄ねじ突部３５および直線部３４の外周が、繰出容器本体Ａ組み立て時に、回転操作筒Ａ３の装着筒２１の開口２４内に、挿入され、中皿体Ａ４と回転操作筒Ａ３が互いに回転不能に上下動するように形成されている。
【００２５】
回転規制部材Ａ５は、図２、３（ｂ）、８に示すように、内周が回転案内筒Ａ２の装着段部１２に嵌合する嵌合筒４０と、嵌合筒４０の上端から円周の対角に立設される一対のラチェット部４１とからなっている。
【００２６】
嵌合筒４０は下端面が装着段部１２の上面に当接し、内周には、装着段部１２の上部ローレット部１５に嵌合する内向きローレット部４２が周設されている。
【００２７】
ラチェット部４１は、外側から見て左右にある程度の距離を取って嵌合筒４０の上端面から立設される一対の縦壁４３と、縦壁４３の上端部を繋ぐ横壁４４と、横壁４４の上面に立設される上向きラチェット歯４５とからなっており、縦壁４３および横壁４４は変形可能な厚さで形成されている。
【００２８】
上向きラチェット歯４５は、外側から見て左側に垂直面４５ａ、右側に端部から横壁４４上面まで右下に傾斜する傾斜面４５ｂが形成されている。
【００２９】
蓋体Ｂは、図１に示すように、上壁５０と上壁５０の外縁に垂設される外周壁５１とからなり、外周壁５１の内周下端部は、外筒Ａ１の蓋装着部３外周に装着される装着部５２が形成されている。
【００３０】
次に、本実施形態の使用態様と作用効果について図面を参照しながら説明する。
繰出容器本体Ａを組み立てるには、まず、回転案内筒Ａ２の上方から回転規制部材Ａ５を挿入し、互いに回転不能に装着した後、外筒Ａ１内に組上がった回転案内筒Ａ２を挿入し、外筒Ａ１の内向きローレット部４と回転案内筒Ａ２の下部ローレット部１４を嵌合させるとともに装着凹部 ５と装着突部１３とを嵌合させることで、外筒Ａ１内に回転規制部材Ａ５を装着させた回転案内筒Ａ２を回転不能に装着させる。
【００３１】
また、回転操作筒Ａ３の上方から棒状化粧料を装着した中皿体Ａ４を挿入する。
その際、中皿体Ａ４の作動筒部３２の断面形状と回転操作筒Ａ３の開口２４の形状が一致し、中皿体Ａ４と回転操作筒Ａ３が一緒に回転するようになる。
【００３２】
次に、回転操作筒Ａ３に挿入された中皿体Ａ４の作動筒部３２の下端部を回転案内筒Ａ２の上方から挿入し、回転操作筒Ａ３に挿入された中皿体Ａ４に対して回転案内筒Ａ２を上から見て右回転させながら螺合させていく。
その際、まず、作動筒部３２の対角の円弧部３３に設けた下端雄ねじ突部３５に回転案内筒Ａ２の雌ねじ突条１０が螺合し、回転案内筒Ａ２が回転しながら中皿体Ａ４に対して上昇していく。
【００３３】
回転案内筒Ａ２が、回転しながら中皿体Ａ４に対して高さａ上昇すると、回転案内筒Ａ２の雌ねじ突条１０と作動筒部３２の下端雄ねじ突部３５との螺合が外れ、雌ねじ突条１０は作動筒部３２の円弧部３３の空転空間部３７に位置し、抵抗が無くなる。
【００３４】
さらに、中皿体Ａ４に対して回転案内筒Ａ２を回転させながら上昇させていくと、今度は、雌ねじ突条１０が円弧部３３に設けた雄ねじ突部３６に螺合し、回転とともに回転案内筒Ａ２が中皿体Ａ４に対して螺合しながら上昇していく。
【００３５】
回転とともに回転案内筒Ａ２が上昇していくと、回転案内筒Ａ２の外周上部が、回転操作筒Ａ３の装着筒２１の内周に挿入されていく。
【００３６】
最後は、回転案内筒Ａ２の外周上部の係合突部１１が回転操作筒Ａ３の装着筒２１内周の係合凹部２５と嵌合するとともに、図９（ａ）に示すように、回転案内筒Ａ２に回転不能に装着した回転規制部材Ａ５の一対設けたラチェット部４１の上向きラチェット歯４５の垂直面４５ａが、回転操作筒Ａ３の装着筒２１下端に設けたいずれかの下向きラチェット歯２２の垂直面２２ｂに当接し、回転案内筒Ａ２の回転操作筒Ａ３と中皿体Ａ４に対する回転が止められ、螺合による上昇も止められ、繰出容器本体Ａが組み上がる。
その際、図２に示すように、中皿体Ａ４の外周壁３０および底壁３１が回転操作筒Ａ３の操作筒２０の内周下端部付近にあるとともに、回転案内筒Ａ２の雌ねじ突条１０が中皿体Ａ４の作動筒部３２の雄ねじ突部３６の上端部付近にある位置で止められている。
【００３７】
組み上がった繰出容器本体Ａの外筒Ａ１に蓋体Ｂを装着することで、閉蓋される。
【００３８】
棒状化粧料を使用する際には、蓋体Ｂを繰出容器本体Ａから外した後、回転操作筒Ａ３を手指等で把持して固定し、外筒Ａ１を回転操作筒Ａ３に対して上から見て左回転させる（もちろん、外筒Ａ１を固定し、回転操作筒Ａ３を回転させてもよい）。
【００３９】
外筒Ａ１を回転操作筒Ａ３に対して上から見て左回転させると、外筒Ａ１に回転不能に装着された回転案内筒Ａ２および回転案内筒Ａ２に回転不能に装着された回転規制部材Ａ５も一緒に回転する。
【００４０】
回転規制部材Ａ５が回転操作筒Ａ３に対して上から見て左回転することにより、図９（ｂ）に示すように、回転規制部材Ａ５の一対設けたラチェット部４１の上向きラチェット歯４５の傾斜面４５ｂが回転操作筒Ａ３の装着筒２１下端に設けたいずれかの下向きラチェット歯２２の傾斜面２２ａに当接していき、下方に押し下げ、その力により、ラチェット部４１の変形可能な縦壁４３および横壁４４が変形し、当接した下向きラチェット歯２２に対して上向きラチェット歯４５自体が下方に押し下げられる。
【００４１】
さらに回転させると、図９（ａ）に示すように、上向きラチェット歯４５が下向きラチェット歯２２を乗り越え、当接が外され、縦壁４３および横壁４４の変形が解かれ、上向きラチェット歯４５自体が元の高さに戻る。
下向きラチェット歯２２と当接してラチェット部４１が変形して、上向きラチェット歯４５が上下動するので、回転規制部材Ａ５が回転操作筒Ａ３に対して上から見て左回転するたびに使用者にクリック感を与えることができる。
【００４２】
また、回転案内筒Ａ２を上から見て左回転させることで、回転案内筒Ａ２の雌ねじ突条１０と、回転操作筒Ａ３とともに回転しない中皿体Ａ４の作動筒部３２の雄ねじ突部３６との螺合により、中皿体Ａ４が回転操作筒Ａ３内で上昇していく。
【００４３】
外筒Ａ１の上から見て左回転を操作することにより、中皿体Ａ４が回転操作筒Ａ３に対して上昇し、棒状化粧料を回転操作筒Ａ３の操作筒２０から任意の高さ外に繰り出し、外筒Ａ１の上から見て左回転を止め、棒状化粧料を使用することができる。
使用後、蓋体Ｂを外筒Ａ１に装着し、閉蓋することで繰出容器本体Ａ内が密封されるので、棒状化粧料の乾燥などを防ぎ、繰り返し開閉蓋をして使用することができる。
【００４４】
また、棒状化粧料使用後、棒状化粧料を回転操作筒Ａ３の操作筒２０内に戻すために、外筒Ａ１を回転操作筒Ａ３に対して上から見て右回転しようとしても、図９（ａ）に示すように、回転規制部材Ａ５のラチェット部４１の上向きラチェット歯４５の垂直面４５ａが回転操作筒Ａ３の装着筒２１下端のいずれかの下向きラチェット歯２２の垂直面２２ｂに当接し、回転が阻止されるので、螺合による中皿体Ａ４の下降が止められ、棒状化粧料を回転操作筒Ａ３の操作筒２０内に戻すことを防止している。
【００４５】
棒状化粧料の繰り出し操作を繰り返して中皿体Ａ４が回転操作筒Ａ３および回転案内筒Ａ２に対してさらに上昇すると、最終的に図１０に示すように、回転案内筒Ａ２の雌ねじ突条１０と中皿体Ａ４の作動筒部３２の雄ねじ突部３６との螺合が外れ、雌ねじ突条１０が作動筒部３２の空転空間部３７に入り、さらに外筒Ａ１が上から見て左回転しても、回転案内筒Ａ２の雌ねじ突条１０が作動筒部３２に対して空転し、中皿体Ａ４がそれ以上上昇しなくなる。
【００４６】
空転空間部３７の高さｂが、雌ねじ突条１０の高さａに対して大きく取ってあるため、回転案内筒Ａ２が上から見て左回転しても、雌ねじ突条１０の下端部が作動筒部３２の下端雄ねじ突部３５に螺合することなく、回転案内筒Ａ２の雌ねじ突条１０が空転し続けるので、中皿体Ａ４がそれ以上上昇せず、中皿体Ａ４が回転案内筒Ａ２および回転操作筒Ａ３内から外れてしまうことを防止できる。
【００４７】
本発明の繰出容器本体Ａは、外筒Ａ１の回転方向を規制するとともに、回転に対してクリック感を発生することができるラチェット機構が、回転操作筒Ａ３の下端に設けた下向きラチェット歯２２と、回転案内筒Ａ２の外周に装着する回転規制部材Ａ５に設けた上向きのラチェット部４１との係合による、容器の高さ方向に弾性変形する機構であるため、従来の容器の径方向に弾性変形するラチェット機構の容器に比べ、容器全体の径を細くすることができ、よりスマートな容器にすることができるという効果を奏する。
【００４８】
次に、上記実施形態の回転規制部材Ａ５に設けたラチェット部の構成を変更した変形実施例１について説明する。
図１１に示すように、回転規制部材Ａ５ａは、内周が回転案内筒Ａ２の装着段部１２に嵌合する嵌合筒４０と、嵌合筒４０の上端より円周の対角に立設される一対のラチェット部６０とからなっている。
【００４９】
ラチェット部６０は、外側から見て中心より右側に嵌合筒４０の上端面より立設される縦壁６１と、縦壁６１の上端部から中心付近に延びる横壁６２と、横壁６２の左端部より湾曲しながら嵌合筒４０の上端面の外側から見て中心より左側に連設される湾曲壁６３と、横壁６２の左側上面に立設される上向きラチェット歯４５とからなっており、縦壁６１、横壁６２および湾曲壁６３は変形可能な厚さで形成されている。
【００５０】
変形実施例１のラチェット部６０は、回転規制部材Ａ５ａが回転操作筒Ａ３に対して上から見て右回転した際には、図１２（ａ）に示すように、装着筒２１の下向きラチェット歯２２の垂直面２２ｂが、上向きラチェット歯４５の垂直面４５ａに当接し、回転が止められ、上から見て左回転した際には、図１２（ｂ）に示すように、ラチェット部６０の上向きラチェット歯４５の傾斜面４５ｂが回転操作筒Ａ３の装着筒２１下端に設けたいずれかの下向きラチェット歯２２の傾斜面２２ａに当接し、下方に押し下げ、その力により、特に、湾曲壁６３に力が掛かり、変形し、当接した下向きラチェット歯２２に対して上向きラチェット歯４５自体が下方に押し下げられる。
【００５１】
さらに上から見て左回転させると、図１２（ａ）に示すように、上向きラチェット歯４５が下向きラチェット歯２２を乗り越え、当接が外され、特に湾曲壁６３の変形が解かれ、上向きラチェット歯４５自体が元の高さに戻され、使用者にクリック感を与えることができる。
【００５２】
変形実施例１のラチェット部６０は、上記実施形態のラチェット部４１に比べ、変形の際に湾曲壁６３に集中して力が掛かるので、より軽い力で変形させることができる。
【００５３】
さらに、上記実施形態の回転規制部材Ａ５に設けた上向きのラチェット部４１の構成を変更した変形実施例２について説明する。
図１３に示すように、回転規制部材Ａ５ｂは、内周が回転案内筒Ａ２の装着段部１２に嵌合する嵌合筒４０と、嵌合筒４０の上端より円周の対角に立設される一対のラチェット部６５とからなっている。
【００５４】
ラチェット部６５は、外側から見て中心より左側に嵌合筒４０の上端面より立設される縦壁６６と、縦壁６６の上端部から右方向に延びる横壁６７と、横壁６７の外側から見て中心付近の上面に立設される上向きラチェット歯４５とからなっており、縦壁６６、横壁６７は変形可能な厚さで形成されている。
【００５５】
変形実施例２のラチェット部６５は、回転規制部材Ａ５ｂが回転操作筒Ａ３に対して上から見て右回転した際には、図１４（ａ）に示すように、装着筒２１の下向きラチェット歯２２の垂直面２２ｂが、上向きラチェット歯４５の垂直面４５ａに当接し、回転が止められ、上から見て左回転した際には、図１４（ｂ）に示すように、ラチェット部６５の上向きラチェット歯４５の傾斜面４５ｂが回転操作筒Ａ３の装着筒２１下端に設けたいずれかの下向きラチェット歯２２の傾斜面２２ａに当接し、下方に押し下げ、その力により、特に、縦壁６６と横壁６７の接合部付近に力が掛かり、接合部付近が変形し、横壁６７を右下に傾け、当接した下向きラチェット歯２２に対して上向きラチェット歯４５自体が下方に押し下げられる。
【００５６】
さらに上から見て左回転させると、図１４（ａ）に示すように、上向きラチェット歯４５が下向きラチェット歯２２を乗り越え、当接が外され、特に縦壁６６と横壁６７の接合部付近の変形が解かれ、上向きラチェット歯４５自体が元の高さに戻され、使用者にクリック感を与えることができる。
【００５７】
変形実施例２のラチェット部６５は、上記実施形態のラチェット部４１に比べ、変形の際に縦壁６６と横壁６７の接合部付近に力が掛かり、横壁６７を右下に傾けるように接合部付近を変形させるので、より軽い力で変形させることができる。
【００５８】
上記実施形態および各変形実施例では、回転規制部材の嵌合筒４０の上端よりラチェット部を円周の対角に一対立設しているが、ラチェット部に設けた上向きラチェット歯４５が回転操作筒Ａ３の下端に設けた下向きラチェット歯２２と当接して外筒Ａ１の回転方向を規制するとともに、回転に対してクリック感を発生することができればいいので、回転規制部材の嵌合筒４０の上端に立設するラチェット部の数は回転操作筒Ａ３の下端に設けた下向きラチェット歯２２の数、範囲に合わせて、一つ以上配設すればよい。
また、ラチェット部の形状も変形してラチェット部に設けた上向きラチェット歯４５を上下動させることができればいいので、変形可能な縦壁および横壁の形状はどの様な形状でもよく、ラチェット部の形状および数は、上記実施形態および各変形実施例の形態および数に限定されない。
【産業上の利用可能性】
【００５９】
本実施形態の繰出容器は、棒状化粧料などを繰り出すことができるとともに、繰り出した棒状化粧料を再度繰出容器本体内に戻すこと防止することができる繰出容器として、また、容器全体の径をより細くすることができる繰出容器として好適に利用できる。
【符号の説明】
【００６０】
Ａ              繰出容器本体
Ａ１            外筒
Ａ２            回転案内筒
Ａ３            回転操作筒
Ａ４            中皿体
Ａ５、Ａ５ａ、Ａ５ｂ    回転規制部材
Ｂ              蓋体
ａ、ｂ          高さ
１、３１        底壁
２、３０、５１    外周壁
３              蓋装着部
４              内向きローレット部
５              装着凹部
１０              雌ねじ突条
１１              係合突部
１２              装着段部
１３              装着突部
１４              下部ローレット部
１５              上部ローレット部
２０              操作筒
２１              装着筒
２２              下向きラチェット歯
２２ａ、４５ｂ    傾斜面
２２ｂ、４５ａ    垂直面
２３              規制板
２３ａ、３４      直線部
２４              開口
２５              係合凹部
３２              作動筒部
３３              円弧部
３５              下端雄ねじ突部
３６              雄ねじ突部
３７              空転空間部
４０              嵌合筒
４１、６０、６５    ラチェット部
４２              内向きローレット部
４３、６１、６６    縦壁
４４、６２、６７    横壁
４５              上向きラチェット歯
５０              上壁
５２              装着部
６３              湾曲壁
【図１】
0006611448.tif 000002
【図２】
0006611448.tif 000003
【図３】
0006611448.tif 000004
【図４】
0006611448.tif 000005
【図５】
0006611448.tif 000006
【図６】
0006611448.tif 000007
【図７】
0006611448.tif 000008
【図８】
0006611448.tif 000009
【図９】
0006611448.tif 000010
【図１０】
0006611448.tif 000011
【図１１】
0006611448.tif 000012
【図１２】
0006611448.tif 000013
【図１３】
0006611448.tif 000014
【図１４】
0006611448.tif 000015